(57)【要約】【課題】包装作業がし易く、衣類のずれや包装形態の崩れも防止でき、衣類の特性や機能等をアピールし易い形態や機能を備えた衣類用パッケージを提供すること。【解決手段】全体が１枚のシートで構成され、上部を吊り下げ可能とされている衣類用パッケージ１であって、左右方向に折り曲げ可能に連設された表装片２及び裏装片３と、表装片２の上部の上部中間片４と、表装片２の一端の側部中間片５とを備え、上部中間片４は、表装片２の裏面側へ下向きに折り曲げられ途中から上向きに折り返し可能とされており、この上向きに折り返された上部中間片４の上向き折り返し部４ｇと下向き折り曲げ部４ｈとの間に衣類Ａの上部が折り込み状態で挟み込まれて挟持され、衣類Ａの残りの部分が上部中間片４の上向き折り返し部４ｇの上端から裏面側に垂下され、この衣類Ａの垂下部が側部中間片５と裏装片３とで左右から包み込むように結束包装されている。【選択図】図１
2008273529.tif 000002
【特許請求の範囲】
【請求項１】
全体が１枚のシートで構成され、上部を吊り下げ可能とされた衣類用パッケージ（１）であって、
上下方向に沿う折り目部（６ａ、６ｂ）を介して左右方向へ折り曲げ可能に連設された表装片（２）及び裏装片（３）と、前記表装片（２）の上部に左右方向に沿う折り目部（４ａ）を介して下方向へ折り曲げ可能に連設された上部中間片（４）と、前記表装片（２）の前記裏装片（３）と対向する左右方向端部に上下方向に沿う折り目部（７ａ、７ｂ）を介して左右方向へ折り曲げ可能に連設された側部中間片（５）とを備え、前記上部中間片（４）は、表装片（２）の裏面側へ下向きに折り曲げられ、かつ、この上部中間片（４）が上下方向の途中から左右方向に沿う折り目部（４ｂ）を介して上向きに折り返し可能とされており、この上向きに折り返された上部中間片（４）の上向き折り返し部（４ｇ）と下向き折り曲げ部（４ｈ）との間に衣類（Ａ）の上部が折り込み状態で挟み込まれて挟持され、前記衣類（Ａ）の残りの部分が上部中間片（４）の上向き折り返し部（４ｇ）の上端から裏面側に垂下され、この衣類（Ａ）の垂下部が前記側部中間片（５）と裏装片（３）とで左右から包み込むように結束包装されていることを特徴とする衣類用パッケージ。
【請求項２】
前記上部中間片（４）には、前記表装片（２）との境界付近に前記上部中間片（４）の上向き折り返し部分（４ｇ）の上縁を裏面側に跨いで衣類（Ａ）を押圧挟持させるための舌状片（４ｄ）が切り起こし可能な状態で形成されていることを特徴とする請求項１に記載の衣類用パッケージ。
【請求項３】
前記表装片（２）は、左右方向寸法を包装対象となる衣類（Ａ）の上部の包装時の横幅寸法と同等乃至大きめとされ、上下方向寸法は、左右方向寸法より小さめとされ、かつ、前記裏装片（３）と同等乃至大きめとされ、下辺が飾り縁とされていることを特徴とする請求項１又は２に記載の衣類用パッケージ。
【請求項４】
前記表装片（２）には、衣類（Ａ）の特性や機能等のアピール点が、図形、記号、文字の何れか、或いは、これらの組み合わせで表示されていることを特徴とする請求項１〜３の何れか１項に記載の衣類用パッケージ。
【請求項５】
前記衣類（Ａ）は、下着であり、上部が上部中間片（４）に前記折り込み状態で挟持され、衣類（Ａ）の下部が前記表装片（２）の下端から露出垂下した状態で包装されていることを特徴とする請求項１〜４の何れか１項に記載の衣類用パッケージ。
【発明の詳細な説明】
【技術分野】
【０００１】
本発明は、ガードル等の衣類の展示販売に用いられる衣類用パッケージに関するものである。
【背景技術】
【０００２】
一般に、衣類は、需要促進や販売促進、購買意欲喚起等のため、新素材の利用、着用性、体形補正等の各種の機能性向上や種々の改良が行われ、それらの改良がなされた衣類を展示販売するために、当該衣類用のパッケージも種々工夫されている。
例えば、従来、裏装片の左右両側に衣類吊り下げ片と表装片とを前面側に召し合わせ状態に折り曲げ可能に連設し、衣類吊り下げ片を先に裏装片の前面側に折り曲げて、この衣類吊り下げ片（の上縁）に衣類（靴下）を上下方向に２つ折り状態で吊り下げ、その上に表装片を折り重ねて、この表装片の端部の係止片を裏装片の裏面側の係止孔に差し込んで止めるようにし、裏装片の上端に形成したフック部で吊り下げるようにした靴下吊り下げ具が公知である（特許文献１参照）。
【０００３】
また、裏装片の上側に表装片を連設し、裏装片の左右両側に衣類吊り下げ片を連設し、表装片の左右両側に係止片を連設し、表装片の上側に商品押さえ片を連設した１枚の展開状態のシート上に、先ず、左右方向に２つ折りした衣類（トランクス等）を載せ、次に、裏装片の左右両側の衣類吊り下げ片を衣類上に折り重ね、続いて、衣類の上半部を衣類吊り下げ片上に折り重ね、さらにその上に表装片を折り重ね、その際、衣類押さえ片を内側に折り込み、表装片の左右両側の係止片を裏面側へ折り曲げて、裏装片の係止孔に差し込んで止めるようにし、裏装片の上端に形成したフック部で吊り下げるようにした展示品装着フックが公知である（特許文献２参照）。
【特許文献１】実開昭５６−４５５５号公報
【特許文献１】特開平１０−２３４５３６号公報
【発明の開示】
【発明が解決しようとする課題】
【０００４】
特許文献１のものは、パッケージ自体の構成が簡単で包装作業も手数が掛からない利点があるが、衣類の押圧保持力が不足し、衣類が下から引き抜けたり、上から引き抜けるなどの衣類のずれ動きによる包装形態の崩れが防止できない点で問題がある。
また、特許文献２のものは、衣類の押圧保持力は十分であり、衣類が下から引き抜けたり、上から引き抜けるなどの衣類のずれ動きによる包装形態の崩れを防止できる利点があるが、パッケージ全体の構成が複雑で包装作業も手数が掛かる点で問題がある。
特に、衣類は、その販売に際し、当該衣類の特性や機能等をアピールし易い形態や機能等を備えたパッケージが要求されるため、従来の既存のパッケージでは、このような要求を満たすことができない場合が多い。
【０００５】
本発明は、従来の衣類用パッケージの上記問題点に鑑みて開発されたもので、包装作業がし易く、衣類のずれや包装形態の崩れも防止でき、衣類の特性や機能等をアピールし易い形態や機能を備えた衣類用パッケージを提供することを目的としている。
【課題を解決するための手段】
【０００６】
前記目的を達成するために本発明は、全体が１枚のシートで構成され、上部を吊り下げ可能とされている衣類用パッケージであって、上下方向に沿う折り目部を介して左右方向へ折り曲げ可能に連設された表装片及び裏装片と、前記表装片の上部に左右方向に沿う折り目部を介して下方向へ折り曲げ可能に連設された上部中間片と、前記表装片の前記裏装片と対向する左右方向端部に上下方向に沿う折り目部を介して左右方向へ折り曲げ可能に連設された側部中間片とを備え、前記上部中間片は、表装片の裏面側へ下向きに折り曲げられ、かつ、この上部中間片が上下方向の途中から左右方向に沿う折り目部を介して上向きに折り返し可能とされており、この上向きに折り返された上部中間片の上向き折り返し部と下向き折り曲げ部との間に衣類の上部が折り込み状態で挟み込まれて挟持され、前記衣類の残りの部分が上部中間片の上向き折り返し部の上端から裏面側に垂下され、この衣類の垂下部が前記側部中間片と裏装片とで左右から包み込むように結束包装されていることを特徴としている。
【０００７】
この構成によれば、衣類を次の順序で包装することができる。
即ち、表装片を左、裏装片を右にしてシート全体を展開状態で作業台上に裏向きにして載置する。
そして、上部中間片を下向きに折り曲げ、この上部中間片の下半部を上向きに折り返し、その上に対象となる衣類を載せ、衣類の上端側を上部中間片の上向き折り返し部と下向き折り曲げ部との間に折り込み状態で挟み込んで挟持させる。
次に、側部中間片を右側へ折り曲げて衣類の左側部分を押さえる。
【０００８】
最後に、裏装片を左側に向けて折り曲げて衣類の右側部分から左側の側部中間片に及ぶ部分までを押さえ込み、裏装片の自由端部を側部中間片に重ね合わせて結束する。
これで包装が完了する。この包装によって、衣類は、上端側において、上部中間片の上向き折り返し端に折り曲げ状態で係止され、かつ、上部中間片の下向き折り曲げ部分と上向き折り返し部分とで挟持され、その上から側部中間片と裏装片とで押さえ込まれることになる。
従って、包装作業がし易く、包装した衣類のずれや包装形態の崩れも防止できる。
【０００９】
前記上部中間片には、前記表装片との境界付近に前記上部中間片の上向き折り返し部分の上縁を裏面側に跨いで衣類を押圧挟持させるための舌状片が切り起こし可能な状態で形成されていることを特徴としている。
この構成によれば、舌状片によって衣類の上端側の折り返し部分を裏装片側から押圧力を付加して舌状片の切り起こし跡の窓孔部に衣類の一部を押し込んだ状態で押圧挟持させることができるため、包装した衣類のずれや包装形態の崩れを一層よく防止させることができる。
【００１０】
前記表装片は、左右方向寸法を包装対象となる衣類の上部の包装時の横幅寸法と同等乃至大きめとされ、上下方向寸法は、左右方向寸法より小さめとされ、かつ、前記裏装片３と同等乃至大きめとされ、下辺が飾り縁とされていることを特徴としている。
この構成によれば、上部中間片及び裏装片並びに側部中間片を表装片で覆い隠すことができ、包装形態の美観向上や特性表示面積の増加が図れる。
前記表装片には、衣類の特性や機能等のアピール点が、図形、記号、文字の何れか、或いは、これらの組み合わせで表示されていることを特徴としている。
【００１１】
この構成によれば、衣類の特性や機能等のアピール点を顧客に的確に伝えることができる。
前記衣類は、下着であり、上部が上部中間片に前記折り込み状態で挟持され、衣類の下部が前記表装片の下端から露出垂下した状態で包装されていることを特徴としている。
この構成によれば、衣類の触感や伸縮性、縫製状態等の確認が容易となり、しかも、衣類のずれや包装形態の崩れも確実に防止することができる。
【発明の効果】
【００１２】
本発明によれば、包装作業がし易く、衣類のずれや包装形態の崩れも防止でき、衣類の特性や機能等をアピールし易い形態や機能を備えた衣類用パッケージを提供することができる。
【発明を実施するための最良の形態】
【００１３】
以下、本発明の実施の形態を図面に基づいて説明する。
本発明の衣類用パッケージ１は、展開状態の表面図である図３及び裏面図である図４に示すように、表装片２、裏装片３、上部中間片４、側部中間片５を主要構成部片として、これらが１枚の紙製又は樹脂製のシートで構成されている。
表装片２と裏装片３は、図３（表面図）及び図４（裏面図）に示すように、左右方向に連設されており、その間に一方（図３の表装片２の左側）のサイド片６が形成され、このサイド片６の両側に上下方向に沿う折り目部６ａ、６ｂが形成されている。
【００１４】
他方（右側）のサイド片７は、表装片２の自由端側（図３の右端側）に連設され、このサイド片７の右端部に側部中間片５が連設されている。サイド片７の両側には、上下方向に沿う折り目部７ａ、７ｂが形成されている。
裏装片３には、図３の左端部に係止片８が形成されており、この係止片８に対応して、側部中間片５には係止孔９が直線状のスリットとして形成されている。この係止片８を係止孔９に差し込むことによって、裏装片３と側部中間片５とが結束状態に連結される。なお、係止片８を係止孔９に差し込んで止める代わりに、粘着シールや粘着テープで止めたり、接着剤で接着したり、熱シールで止めるようにしてもよい。
【００１５】
上部中間片４は、表装片２の上端に上方側へ連設されており、その境界に左右方向に沿う第１の折り目部４ａが形成され、これによって、上部中間片４は、第１の折り目部４ａを介して表装片２の上端に下方側へ折り曲げ可能に連設されている。
また、上部中間片４の上下方向の途中には、左右方向に沿う第２の折り目部４ｂが形成されおり、この第２の折り目部４ｂによって、上部中間片４は、第１の折り目部４ａで下側へ折り曲げられた状態の下端側が上向きに折り返し可能とされている。
上部中間片４の第１の折り目部４ａの左右方向中央部には、フック１０の装着孔４ｃが形成されている。なお、本実施形態では、別体のフック１０を装着孔４ｃに装着するようにした場合を例示しているが、これに制約されるものではなく、他の吊り下げ構造を採用することができ、例えば、裏装片３や上部中間片４に切り起こし可能な形状のフックあるいはフック状の切り欠き、貫通孔や係止片を形成しておいてもよい。
【００１６】
また、上部中間片４には、円弧状の舌状片４ｄが切り起こし可能な状態で形成されている。この舌状片４ｄの形成位置は、第１の折り目部４ａと第２の折り目部４ｂとの間で、上部中間片４の左右方向中央部であり、舌状片４ｄの基部が第１の折り目部４ａの付近、即ち表装片２との境界付近で、舌先が包装時に下向きとなるように第２の折り目部４ｂ側に向けて形成されている。この舌状片４ｄの基部には、左右方向に沿う第３の折り目部４ｅが形成され、この第３の折り目部４ｅに平行な第４の折り目部４ｆが衣類の包装時の厚み分だけ舌先側に離間して形成されている。
【００１７】
表装片２は、左右方向寸法を包装対象となる衣類の上部の包装時の横幅寸法と同等乃至大きめ（例えば、本実施形態では、約１４ｃｍ程度）とされ、上下方向寸法（短辺寸法）は、左右方向寸法より小さめ（例えば、本実施形態では、約１０．５〜１１．５ｃｍ程度）とされ、前記裏装片３より大きくされ、下辺が飾り縁とされている。
裏装片３は、左右方向に長い長方形板状とされ、この左右方向寸法（長辺寸法）は、表装片２と同等乃至小さめ（例えば、本実施形態では、約１３ｃｍ程度）とされ、上下方向寸法（短辺寸法）は、表装片２と同等乃至小さめ（例えば、本実施形態では、約１１ｃｍ程度）とされている。この裏装片３の左右方向の途中には、破断部３ａが形成され、この破断部３ａの両側に破断用切り目３ｂ、３ｃが上下方向全長に亘って形成されている。
【００１８】
左右のサイド片６，７は、上下方向寸法を裏装片３の上下方向寸法と同等とし、左右で同一高さ位置とし、しかも、裏装片３とも同一高さ位置となるように形成されている。
左右のサイド片６，７の左右方向寸法（横幅）は、左右で同一とされ、当該衣類の包装時の厚さ分程度の寸法（例えば、本実施形態では、約１ｃｍ程度）とされている。
側部中間片５は、サイド片７の上下方向寸法と同一とされ、左右方向寸法は、表装片２と裏装片３との差寸法より長め（例えば、本実施形態では、約３ｃｍ）とされている。
表装片２は、上辺が左右方向に平行（水平）な直線縁とされ、左右両辺が上下方向に平行（垂直）な折り目部６ａ、７ｂで区画され、下辺が曲線の飾り縁とされている。
【００１９】
上部中間片４は、左右方向寸法を表装片２と同等乃至若干小さく（本実施形態では、左右両側に段差部４’を設けて若干小さい横幅とした場合を例示している。）され、表装片２から上方に一連に連続して表装片２の上下方向寸法よりも１．２〜１．５倍程度長く延長形成されている（例えば、本実施形態では、約１４ｃｍ程度）。この上部中間片４の上下方向途中の第２の折り目部４ｂの形成位置は、表装片２の上下方向寸法の０．６〜０．８倍程度の長さに対応する位置とされる。
なお、上部中間片４は、第１の折り目部４ａで下向きに折り曲げられ、その後、第２の折り目部４ｂから上向きに折り返したとき、この折り返した上端の高さが表装片２及び裏装片３の上辺を越えないように設定されている。
【００２０】
表装片２の表側には、包装対象となる衣類の特性や機能等のアピール点が、図形、記号、文字（ロゴマーク、商標、キャッチフレーズ等）の何れか、或いは、これらの組み合わせで印刷、ラベル貼付等で表示される。例えば、表装片２は、周辺を適当な色彩で着色して枠状に囲み、この枠内に衣類の特徴や機能を表すキャッチフレーズと共に着用状態のカラー写真や図形乃至記号を円形枠、四角形枠、その他種々の形状枠内に表示し、それらの表示部に機能を異なる色彩の文字や記号で表示し、さらに、それらの形状枠内とは別の背景色で地色部を構成することができる。
【００２１】
表装片２の下辺は、前記図形、記号、文字の何れか、或いは、これらの組み合わせ表示態様によって形成される飾り縁からなる輪郭形状となり、例えば、本実施形態例の場合では、緩やかな凹凸曲線形状の飾り縁とされている。
裏装片３の表側には、包装対象となる衣類の他の情報（例えば、商品名、素材、サイズ、特徴・機能、洗濯時や着用時等の取扱注意事項、製造販売元等）を印刷、ラベル貼付等で表示される。
また、前記舌状片４ｄの表面側（図１、図３参照）には、ワンポイントマーク、キャラクター図形、その他の図形、記号、文字（ロゴマーク、商標、キャッチフレーズ等）の何れか、或いは、これらの組み合わせで印刷、ラベル貼付等で表示される。
【００２２】
本発明の衣類用パッケージ１は、以上の構成からなるもので、要するに、全体が１枚のシートで構成され、上部をフック１０で吊り下げ可能とされている衣類用パッケージ１であって、上下方向に沿う折り目部６ａ、６ｂを介して左右方向へ折り曲げ可能に連設された表装片２及び裏装片３と、前記表装片２の上部に左右方向に沿う折り目部４ａを介して下方向へ折り曲げ可能に連設された上部中間片４と、前記表装片２の前記裏装片３と対向する左右方向端部に上下方向に沿う折り目部７ａ、７ｂを介して左右方向へ折り曲げ可能に連設された側部中間片５とを備え、前記上部中間片４は、表装片２の裏面側へ下向きに折り曲げられ、かつ、この上部中間片４が上下方向の途中から左右方向に沿う折り目部４ｂを介して上向きに折り返し可能とされており、この上向きに折り返された上部中間片４の上向き折り返し部４ｇと下向き折り曲げ部４ｈとの間に衣類Ａの上部が折り込み状態で挟み込まれて挟持され、前記衣類Ａの残りの部分が上部中間片４の上向き折り返し部４ｇの上端から裏面側に垂下され、この衣類Ａの垂下部が前記側部中間片５と裏装片３とで左右から包み込むように結束包装されている。
【００２３】
この構成によれば、衣類Ａを次の順序で包装することができる。
即ち、図４に示すように、裏装片３を右、表装片２を左にしてシート全体を展開状態で作業台上に裏向きにして載置する。
そして、図１、図２に示すように、上部中間片４を下向きに折り曲げ、その下半部を上向きに折り返し、舌状片４ｄを上向きに折り上げておき、その上に包装対象となる衣類Ａを載せ、衣類Ａの上端側を上部中間片４の上向き折り返し部４ｇと下向き折り曲げ部４ｈとの間に折り込み状態で挟み込んで挟持させる。
【００２４】
そして、舌状片４ｄを下向きに折り下げて衣類Ａの上端側の折り返し部分を押さえる。
最後に、側部中間片５を右側に向けて折り曲げて衣類Ａと共に上部中間片４を押さえ込み、裏装片３を左側に向けて折り曲げて側部中間片５の上に重ね、係止片８を側部中間片５の係止孔９に差し込んで止めて結束状態に連結保持させる。
これで包装が完了する（図５参照）。この包装によって、図２に示すように、衣類Ａは、上端側において、上部中間片４の上向き折り返し部４ｇの上端に折り曲げ状態で係止され、かつ、上部中間片４の下向き折り曲げ部４ｈと上向き折り返し部４ｇとで衣類Ａの上端が挟持され、衣類Ａの残りの部分が上向き折り返し部４ｇと裏装片３及び側部中間片５とで挟持され、その際、舌状片４ｄが裏装片３によって押さえられることにより、この舌状片４ｄによって衣類Ａの上端が押さえ込まれると共に、舌状片４ｄの切り起こし跡の窓孔部４ｉ（図２、図１参照）に衣類Ａの一部が押し込まれた状態で押圧挟持されるため、衣類Ａのずれや包装形態の崩れが一層良く防止されることになる。
【００２５】
従って、本発明の衣類用パッケージ１は、包装作業がし易く、包装した衣類Ａのずれや包装形態の崩れも防止できる。
前記表装片２は、左右方向寸法を包装対象となる衣類Ａの上部の包装時の横幅寸法と同等乃至大きめとされ、上下方向寸法は、左右方向寸法より小さめとされ、かつ、前記裏装片３より大きくされ、下辺が飾り縁とされているため、上部中間片４及び側部中間片５並びに裏装片３を表装片２で覆い隠すことができ、包装形態の美観向上や特性表示面積の増加が図れる。
【００２６】
前記表装片２の表側には、衣類Ａの特性や機能等のアピール点が、図形、記号、文字の何れか、或いは、これらの組み合わせで表示されているため、当該衣類Ａの特性や機能等のアピール点を顧客に的確に伝えることができる。
前記衣類Ａは、図５に示すように、下着であり、上部が上部中間片５に前記折り込み状態で挟持され、衣類Ａの下部が前記表装片２の下端から露出垂下した状態で包装されているため、衣類Ａ（下着）の触感や伸縮性、縫製状態等の確認が容易となり、その場合でも衣類Ａのずれや包装形態の崩れも確実に防止することができる。
【００２７】
本発明の衣類用パッケージ１の裏装片３には、破断部３ａが形成してあるため、包装された衣類Ａの取り出し時、該破断部３ａを引っ張ることにより、破断用切り目３ｂ、３ｃから容易に破断して開封することができ、衣類Ａの取り出し性が向上する。なお、この破断部３ａの設定は任意である。
本発明の衣類用パッケージ１は、以上の実施形態からなるが、本発明は、この実施形態にのみ制約されるものではなく、適宜、変更して実施することができる。例えば、舌状片４ｄは、上部中間片４の左右方向中央部に形成した場合を例示しているが、左右方向寸法の長い衣類の場合では、上部中間片４の左右方向の２箇所以上に設けておいてもよい。また、下着として、ガードルに適用した場合を例示しているが、パンツ類（婦人用、男性用を含む）や他の衣類に適用することができる。
【図面の簡単な説明】
【００２８】
【図１】本発明に係る衣類用パッケージの表装片を展開した状態の斜視図である。
【図２】本発明に係る衣類用パッケージの中央縦断側面図である。
【図３】本発明に係る衣類用パッケージの展開状態の表面図である。
【図４】本発明に係る衣類用パッケージの展開状態の裏面図である。
【図５】本発明に係る衣類用パッケージの包装形態の一例を示す正面図である。
【符号の説明】
【００２９】
１    衣類用パッケージ
２    表装片
３    裏装片
４    上部中間片
５    側部中間片
６    サイド片
７    サイド片
８    係止片
９    係止孔
１０    フック
Ａ    衣類
【図１】
2008273529.tif 000003
【図２】
2008273529.tif 000004
【図３】
2008273529.tif 000005
【図４】
2008273529.tif 000006
【図５】
2008273529.tif 000007